(57)【要約】【課題】  従来のカメラ冷却システムは、大きく、重い。また、専用の送風ダクトを設ける必要があって部品点数が多くなり、コストがかかるとともに電子カメラも重くなる。【解決手段】  デジタルカメラ１の三脚座７に送風装置２のローレットビス１４が係合して、デジタルカメラ１に送風装置２が取り付けられた場合、カメラ側開口部１０と送風装置側開口部１５とを介して、デジタルカメラ１と送風装置２との内部空間が通じる。ファン１７の駆動により生じた空気が、送風装置２の吸気口１９、送風装置側開口部１５、カメラ側開口部１０、およびデジタルカメラ１の排気口１２を経由してデジタルカメラ１の内部を流れることで、発熱源である撮像センサ５を冷却する。【選択図】  図１
2012198447.tif 000002
【特許請求の範囲】
【請求項１】
カメラと送風装置とから構成されるカメラ冷却システムであって、
前記カメラは、
前記カメラ内部に通じる吸排気口と、
三脚が着脱可能な三脚取付手段と、
前記三脚取付手段に設けられた前記カメラ内部に通じるカメラ側開口部と、を備え、
前記送風装置は、
吸排気口とファンとを有する送風手段と、
前記三脚取付手段に着脱可能なカメラ取付手段と、
前記カメラ取付手段に設けられ前記送風装置内部に通じる送風装置側開口部と、を備え、
前記カメラに前記送風装置が取り付けられた場合、前記カメラ側開口部と前記送風装置側開口部とを介して、前記カメラと前記送風装置との内部空間が通じることで、前記送風手段によって前記カメラの内部空間に空気の流れを作ることを特徴とするカメラ冷却システム。
【請求項２】
請求項１に記載のカメラ冷却システムにおいて、
前記カメラから前記送風装置に電力を供給する電力供給手段を備えることを特徴とするカメラ冷却システム。
【請求項３】
請求項１または請求項２に記載のカメラ冷却システムにおいて、
前記カメラは、前記カメラの内部温度を測定する温度センサと、
前記送風装置の動作を制御する制御手段と、を備え、
前記制御手段は、前記温度センサにより測定された温度が所定値以上の場合、前記送風装置を駆動させることを特徴とするカメラ冷却システム。
【請求項４】
請求項３に記載のカメラ冷却システムにおいて、
前記温度センサは、撮像素子の温度を特に測定することを特徴とするカメラ冷却システム。
【請求項５】
請求項１から請求項４のいずれか１項に記載のカメラ冷却システムにおいて、
前記カメラの前記吸排気口は、前記カメラに内蔵されたスピーカからの音を放音する放音口の少なくとも一部であることを特徴とするカメラ冷却システム。
【請求項６】
請求項１から請求項５のいずれか１項に記載のカメラ冷却システムにおいて、
前記カメラ取付手段は、前記三脚取付手段に着脱可能であり、かつ、前記三脚取付手段と係合した場合に前記カメラ側開口部を介して前記カメラの内部空間に通じる前記送風装置側開口部を有するビスであることを特徴とするカメラ冷却システム。
【請求項７】
請求項６に記載のカメラ冷却システムにおいて、
前記送風装置の筐体と前記ビスとの間に弾性部材をさらに有し、
前記弾性部材は、前記カメラに前記送風装置が取り付けられた時に、前記ビス周辺の密閉性を高めることを特徴とするカメラ冷却システム。
【請求項８】
請求項６または請求項７に記載のカメラ冷却システムにおいて、
前記カメラ側開口部は、弾性部材から形成される開閉手段をさらに備え、
前記開閉手段は、前記ビスと前記三脚取付手段とが係合していると前記ビスのビス頭によって前記カメラ側開口部を開き、前記ビスと前記三脚取付手段とが係合していないと前記カメラ側開口部を閉じる形状であることを特徴とするカメラ冷却システム。
【請求項９】
請求項１から請求項８のいずれか１項に記載のカメラ冷却システムにおいて、
前記カメラおよび前記送風装置の各前記吸排気口、および前記送風装置側開口部の少なくとも１つにフィルタが備えられていることを特徴とするカメラ冷却システム。
【請求項１０】
請求項１から請求項９のいずれか１項に記載のカメラ冷却システムにおいて、
前記送風装置は、前記カメラに取り付けられた場合に前記カメラのグリップとなる突出部を備えることを特徴とするカメラ冷却システム。
【発明の詳細な説明】
【技術分野】
【０００１】
本発明は、ファンによりカメラの内部に空気の流れを作り、カメラの内部にある発熱源を冷却するカメラ冷却システムに関する。
【背景技術】
【０００２】
従来、この種のカメラ冷却システムとしては、例えば、特許文献１に開示された電子カメラの冷却システムがある。特許文献１に記載の電子カメラは、カメラボディの上部に設けられた空気吸入口と、撮像素子等から構成される可動撮像ユニット（発熱源）と、空気を排出する排出口とを備える。さらに、空気吸入口と可動撮像ユニットとの間には送風ダクトが配設され、可動撮像ユニットと排出口との間にも送風ダクトが設けられている。電子カメラにバッテリホルダが冷却装置として装着されると、バッテリホルダ内のファンにより、カメラボディの空気吸入口から吸気された空気が送風ダクトを通って撮像素子等の可動撮像ユニットに導かれる。可動撮像ユニットにより熱せられた空気が送風ダクトから排気口を通り、バッテリホルダ内のファンによって強制的にバッテリホルダの排気口より排気されることで、発熱源である可動撮像ユニットを冷却している。
【先行技術文献】
【特許文献】
【０００３】
【特許文献１】特開２００９−７１５１６号公報
【発明の概要】
【発明が解決しようとする課題】
【０００４】
しかしながら、上記従来のカメラ冷却システムでは、電子カメラに電源供給する電池を内蔵した大きなバッテリホルダをさらに外付け冷却装置として利用するために、外付け冷却装置自体が大きく、重いものとなる。また、電子カメラおよびバッテリホルダ内に専用の送風ダクトを設ける必要があるため、部品点数が多くなりコストがかかるとともに、電子カメラも重くなってしまう。
【課題を解決するための手段】
【０００５】
本発明はこのような課題を解決するためになされたもので、
カメラと送風装置とから構成されるカメラ冷却システムであって、
カメラが、
カメラ内部に通じる吸排気口と、
三脚が着脱可能な三脚取付手段と、
三脚取付手段に設けられたカメラ内部に通じるカメラ側開口部と、を備え、
送風装置が、
吸排気口とファンとを有する送風手段と、
三脚取付手段に着脱可能なカメラ取付手段と、
カメラ取付手段に設けられ送風装置内部に通じる送風装置側開口部と、を備え、
カメラに送風装置が取り付けられた場合、カメラ側開口部と送風装置側開口部とを介して、カメラと送風装置との内部空間が通じることで、送風手段によってカメラの内部空間に空気の流れを作ることを特徴とする。
【０００６】
この構成によれば、カメラの三脚取付手段に送風装置のカメラ取付手段が係合して、カメラに送風装置が取り付けられた場合、三脚取付手段に設けられたカメラ側開口部とカメラ取付手段に設けられた送風装置側開口部とを介して、カメラと送風装置との内部空間が通じる。この状態で、送風手段のファンが駆動すると、カメラの内部空間に空気の流れが生じる。ファンの駆動によって生じた空気が、送風装置の吸排気口、送風装置側開口部、カメラ側開口部、およびカメラの吸排気口を経由してカメラおよび送風装置の内部を流れることで、カメラ内部の発熱源を冷却する。
【発明の効果】
【０００７】
本発明によれば、ファンのみを内蔵する送風装置を外付け冷却装置とするので、外付け冷却装置を小型化できる。また、カメラおよび送風装置に専用の送風ダクトを新たに設ける必要もなく部品点数が減るため、カメラ冷却システムのコストダウン、かつ、カメラ冷却システムを小型・軽量化できる。また、三脚が着脱される三脚取付手段がカメラの内部空間に通じるカメラ側開口部を有するので、送風装置と導通するために新たな開口部をカメラの側面に設ける必要もなく、カメラの外観を損なうこともない。
【図面の簡単な説明】
【０００８】
【図１】（ａ）および（ｂ）は、本発明の第１の実施の形態によるカメラ冷却システムを構成するデジタルカメラおよび送風装置の内部構造の概略を示す正面図、（ｃ）は、デジタルカメラの側面図である。
【図２】図１に示すデジタルカメラに設けられるキャップの平面図である。
【図３】図１に示すデジタルカメラと送風装置とが係合した場合における、デジタルカメラおよび送風装置の内部構造の概略を示す正面図である。
【図４】（ａ）は、本発明の第２の実施の形態によるカメラ冷却システムを構成するデジタルカメラおよび送風装置の内部構造の概略を示す正面図、（ｂ）は、送風装置と係合したデジタルカメラの平面図である。
【図５】（ａ）は、本発明の第３の実施の形態によるカメラ冷却システムを構成するデジタルカメラの平面図、（ｂ）は、（ａ）に示すデジタルカメラの上面壁の側面図である。
【発明を実施するための形態】
【０００９】
次に、本発明によるカメラ冷却システムをデジタルカメラに適用した場合における、本発明を実施するための一形態について説明する。
【００１０】
図１（ａ）および同図（ｂ）は、この第１の実施形態によるカメラ冷却システムを構成するデジタルカメラ１および送風装置２の内部構造の概略を示す正面図、同図（ｃ）は、デジタルカメラ１の側面図である。
【００１１】
まず、デジタルカメラ１の内部構造について説明する。デジタルカメラ１はカメラ本体１ａとレンズ１ｂとから構成される。カメラ本体１ａ内にはメイン基板３が設けられている。メイン基板３上にはＣＰＵ（Central Processing Unit）４、撮像センサ５および温度センサ６等が設けられている。
【００１２】
被写体からの光はレンズ１ｂを介してデジタルカメラ１内に取り込まれる。デジタルカメラ１内に取り込まれた被写体光は、撮像センサ５により撮影され、ＣＰＵ４によって画像データが生成される。撮像センサ５は、被写体像を撮像する撮像素子から構成され、作動すると発熱する。特に、静止画の連写撮影時や動画撮影時など長時間にわたって作動すると温度が上昇し、高温になりやすい。温度センサ６は、撮像センサ５付近に設けられており、デジタルカメラ１の内部温度、特に、撮像センサ５の周囲温度を測定する。また、ＣＰＵ４は、デジタルカメラ１の種々の装置機能を作動させる。
【００１３】
カメラ本体１ａの上部には、デジタルカメラ１内部に通じる吸気口にもなる排気口１２が設けられている。排気口１２のデジタルカメラ１内部側は、フィルタ１３ａで覆われている。また、カメラ本体１ａの下部には、三脚座７、メス形状の通信コネクタ８ａ、および位置決め穴９ａが設けられている。
【００１４】
三脚座７は、フランジ状をしており、中央の中空円筒状部の内面に、三脚の取付ビスと螺合する雌ネジ溝が切られている。三脚座７は、三脚が着脱可能な三脚取付部を構成する。三脚座７の中空円筒状部は軸方向に貫通しており、この中空円筒状部は、デジタルカメラ１内部に通じるカメラ側開口部１０を構成している。三脚座７の頭部には、ゴム等の弾性部材から形成されるキャップ１１が圧入して設けられ、カメラ側開口部１０を覆っている。キャップ１１は、図２の平面図に示すように、平面視、円形状をしており、円周でつながる８個の扇形に分かれる切り込みが入っている。
【００１５】
通信コネクタ８ａとメイン基板３とはフラットケーブル１８ａにより接続されている。通信コネクタ８ａは、フラットケーブル１８ａを介して不図示のバッテリーと接続されており、デジタルカメラ１のバッテリーから外付け冷却装置を構成する送風装置２へ電力が供給されるようになっている。
【００１６】
次に、送風装置２の構造について説明する。送風装置２の上面には、ローレットビス１４、オス形状の通信コネクタ８ｂ、および上部に突出した位置決めピン９ｂが設けられている。
【００１７】
ローレットビス１４は、フランジ状をしており、送風装置２の上面側から突出した中空円筒状部のビス頭１４ａ周囲に、三脚座７の雌ネジ溝と螺合する雄ネジ溝が切られている。ローレットビス１４は、三脚座７に着脱可能なカメラ取付部を構成する。ローレットビス１４の中空円筒状部は軸方向に貫通し、この中空円筒状部は、送風装置２内部に通じる送風装置側開口部１５を構成する。また、送風装置２の筐体の上壁内面とローレットビス１４のフランジ部との間には、弾性部材を構成するリング状のゴム部材１６が設けられている。
【００１８】
オス形状の通信コネクタ８ｂは、送風装置２内部に設けられたファン１７とフラットケーブル１８ｂを介して接続されている。また、ファン１７の背面付近における送風装置２の側面には、排気口にもなる吸気口１９が設けられ、フィルタ１３ｂで覆われている。吸気口１９およびファン１７は、送風部を構成する。
【００１９】
送風装置２がデジタルカメラ１の三脚座７に取り付けられた場合、カメラ側開口部１０と送風装置側開口部１５とを介して、デジタルカメラ１と送風装置２との内部空間が通じる。この状態で、送風部のファン１７が駆動することによってデジタルカメラ１の内部空間に空気の流れが生じる。この空気の流れは、図１（ａ）および（ｂ）に示す矢印で示されている。
【００２０】
ここで、デジタルカメラ１と送風装置２とが係合したときについて詳細に説明する。図３は、図１に示すデジタルカメラ１と送風装置２とが係合した場合における、デジタルカメラ１および送風装置２の内部構造の概略を示す正面図である。なお、同図において図１と同一部分には同一符号を付してその説明は省略する。
【００２１】
デジタルカメラ１と送風装置２とが係合する際、デジタルカメラ１の位置決め穴９ａと送風装置２の位置決めピン９ｂとが嵌合することにより、デジタルカメラ１と送風装置２との相互の位置決めが行われる。また、デジタルカメラ１と送風装置２とが係合する際、ローレットビス１４のビス頭１４ａは、デジタルカメラ１の三脚座７に位置する。この状態で、送風装置２の側面外方に突出して設けられているローレットビス１４のフランジ部を手で回すことで、ローレットビス１４の雄ネジが三脚座７の雌ネジ溝と螺合し、送風装置２とデジタルカメラ１とが係合される。
【００２２】
キャップ１１は、上述したようにカメラ側開口部１０を覆う形状をしており、カメラ側開口部１０を開閉する開閉部を構成する。つまり、キャップ１１は、ローレットビス１４と三脚座７とが係合していないと、図２に示すように８個の扇形部分が閉じており、カメラ側開口部１０を塞いでいる。一方、キャップ１１は、ローレットビス１４と三脚座７とが係合すると、ローレットビス１４のビス頭１４ａにより下面側から押されて、８個の扇形部分が上方に仰け反り、図３に示すようにカメラ側開口部１０を開く。三脚座７と係合したこの場合、送風装置側開口部１５は、カメラ側開口部１０を介してデジタルカメラ１の内部空間に通じることになる。
【００２３】
また、デジタルカメラ１に送風装置２が取り付けられた時、送風装置２の上壁内面とローレットビス１４のフランジ部との間にあるゴム部材１６は、ローレットビス１４により圧縮されてつぶれ、ローレットビス１４の周辺、つまり送風装置２の上壁内面とローレットビス１４のフランジ部との間の密閉性を高める。
【００２４】
また、デジタルカメラ１と送風装置２とが係合する際、デジタルカメラ１の通信コネクタ８ａが送風装置２の通信コネクタ８ｂと嵌合して接続され、デジタルカメラ１内のバッテリーの電力が、フラットケーブル１８ａ、通信コネクタ８ａ、通信コネクタ８ｂおよびフラットケーブル１８ｂを介してファン１７に供給される。デジタルカメラ１内のバッテリーは、デジタルカメラ１から送風装置２に電力を供給する電力供給部を構成する。
【００２５】
デジタルカメラ１のＣＰＵ４は、送風装置２の動作を制御する制御部を構成し、温度センサ６により測定された温度が所定値以上の場合、通信コネクタ８ａ、８ｂを介してファン１７に信号を出力して、ファン１７を駆動させる。また、温度センサ６により測定された温度が所定値未満の場合、ファン１７を停止させる。ファン１７が駆動することにより、矢印に示すように、吸気口１９から入って排気口１２から出る、デジタルカメラ１の内部空間を通る空気の流れが作られる。つまり、ファン１７の駆動により生じた空気が、送風装置２の吸気口１９、送風装置２の内部空間、送風装置側開口部１５、カメラ側開口部１０、デジタルカメラ１の内部空間、およびデジタルカメラ１の排気口１２を経由して流れることで、撮像センサ５を冷却する。
【００２６】
このような本実施形態によるカメラ冷却システムによれば、デジタルカメラ１の三脚座７に送風装置２のローレットビス１４が係合して、デジタルカメラ１に送風装置２が取り付けられた場合、カメラ側開口部１０と送風装置側開口部１５とを介して、デジタルカメラ１と送風装置２との内部空間が通じる。この状態で、送風部のファン１７が駆動することにより、デジタルカメラ１の内部空間に空気の流れが生じる。ファン１７の駆動により生じた空気が、送風装置２の吸気口１９、送風装置側開口部１５、カメラ側開口部１０、およびデジタルカメラ１の排気口１２を経由してデジタルカメラ１の内部を流れることで、発熱源である撮像センサ５を冷却する。特に本実施形態では、三脚座７のカメラ側開口部１０が上方を向いているため、送風装置２からデジタルカメラ１に送られた風は、図３に示すように、三脚座７のカメラ側開口部１０の上方にある撮像センサ５を効率よく冷却する。
【００２７】
このため、デジタルカメラ１内部の発熱源を冷やすために、電池を内蔵した大きなバッテリーホルダを従来のように外付け冷却装置とせず、ファン１７のみを内蔵する送風装置２を外付け冷却装置とするので、外付け冷却装置を小型化できる。また、三脚座７のカメラ側開口部１０が送風ダクトを兼ねており、デジタルカメラ１内に専用の送風ダクトが設けられていないので、デジタルカメラ１は送風ダクトの分だけ軽くなる。また、ローレットビス１４の送風装置側開口部１５が送風ダクトを兼ねるので、送風装置２に専用の送風ダクトを別途新規部品として設ける必要はない。つまり、デジタルカメラ１および送風装置２に専用の送風ダクトを新たに設ける必要もなく部品点数が減るため、カメラ冷却システムのコストダウンが図れる。また、カメラ冷却システムが小型・軽量化され、送風装置２未装着状態でデジタルカメラ１を使用する場合、送風ダクトがデジタルカメラ１内に無いので、デジタルカメラ１が軽量化する。また、三脚が着脱される三脚座７がデジタルカメラ１の内部空間に通じるカメラ側開口部１０を有するので、送風装置２と導通するために新たな開口部をデジタルカメラ１の側面に設ける必要もなく、デジタルカメラ１の外観を損なうこともない。
【００２８】
従って、長時間にわたって撮影を行っても、撮像センサ５の使用限界温度を超えることなく、長時間の撮影が可能な、上記各効果を有するカメラ冷却システムが提供される。
【００２９】
また、本実施形態によるカメラ冷却システムによれば、デジタルカメラ１内のバッテリーにより、デジタルカメラ１から送風装置２に電力が供給され、この電力により送風部のファン１７が駆動される。このため、送風装置２内のファン１７に電力を供給するために送風装置２内に専用のバッテリーを設ける場合に比べて、送風装置２は小型化し、送風装置２を装着してもデジタルカメラ１が取り扱いやすくなる。
【００３０】
また、本実施形態によるカメラ冷却システムによれば、デジタルカメラ１は、温度センサ６により測定された温度が所定値以上の場合に、制御部（ＣＰＵ４）により、送風装置２に設けられたファン１７を駆動させる。特に、本実施形態によるカメラ冷却システムによれば、撮像センサ５が高温になって、温度センサ６により測定された温度が所定値以上になった場合にのみ、ファン１７が駆動されて撮像センサ５が冷却される。このため、常にファン１７を駆動させる場合に比べて、デジタルカメラ１内のバッテリーの消費電力が低減される。
【００３１】
また、本実施形態によるカメラ冷却システムによれば、デジタルカメラ１の三脚座７に着脱可能であり、かつ、三脚座７と係合した場合にカメラ側開口部１０を介してデジタルカメラ１の内部空間に通じる送風装置側開口部１５を有するローレットビス１４を用いて、簡単にデジタルカメラ１と送風装置２とを係合できて、使い勝手が向上する。
【００３２】
また、本実施形態によるカメラ冷却システムによれば、ゴム部材１６が送風装置２の筐体とローレットビス１４との間に備えられ、デジタルカメラ１に送風装置２が取り付けられた時に、ゴム部材１６によりローレットビス１４周辺の密閉性が高められるので、ローレットビス１４周辺から送風装置２およびデジタルカメラ１内部にゴミ等が侵入するのが防止されると共に、ファン１７により生じる空気が送風装置２の筐体とローレットビス１４との間から漏れ出るのが抑止される。このため、デジタルカメラ１内部に生じる空気の流れにより、効果的にデジタルカメラ１内を冷却することができる。
【００３３】
また、本実施形態によるカメラ冷却システムによれば、弾性部材から形成されるキャップ１１がカメラ側開口部１０に取り付けられ、ローレットビス１４と三脚座７とが係合していないと、キャップ１１がカメラ側開口部１０を閉じる形状となる。このため、ローレットビス１４と三脚座７とが係合していない場合に、キャップ１１がカメラ側開口部１０を閉じるので、カメラ側開口部１０を介してデジタルカメラ１内部にゴミ等が侵入するのが防止される。
【００３４】
また、本実施形態によるカメラ冷却システムによれば、デジタルカメラ１および送風装置２の排気口１２および吸気口１９にフィルタ１３ａ、１３ｂが備えられているので、デジタルカメラ１および送風装置２の排気口１２および吸気口１９を介して、デジタルカメラ１内部にゴミ等が侵入するのが防止される。
【００３５】
なお、本実施形態では、デジタルカメラ１および送風装置２の排気口１２および吸気口１９にフィルタ１３ａ、１３ｂが備えられている構成であったが、デジタルカメラ１および送風装置２の排気口１２および吸気口１９、並びに送風装置側開口部１５の少なくとも１つにフィルタが備えられている構成にしてもよい。
【００３６】
また、本実施形態では、温度センサ６は、撮像センサ５の周囲温度を測定する構成であったが、撮像センサ５以外のＣＰＵ４等のエンジンの周囲温度を測定する構成でもよい。この場合、エンジンの周囲温度が所定値以上の場合、ファン１７が駆動され、ファンにより生じた空気の流れによりエンジンが冷却される。つまり、本実施形態では、発熱源が撮像センサ５で、この撮像センサ５を冷却対象とした場合について説明したが、発熱源および冷却対象は撮像センサ５に限られるものではない。
【００３７】
また、本実施形態では、デジタルカメラ１のＣＰＵ４から通信コネクタ８ａ、８ｂを介して所定の制御信号を送信して、ファン１７を駆動させる構成であったが、制御信号を送信することなく、通信コネクタ８ａ、８ｂを介してファン１７へ供給する電力を直接断続して、ファン１７の動作を制御するように構成してもよい。
【００３８】
また、本実施形態では、ファン１７が駆動することにより生じた空気が、送風装置２の吸気口１９、送風装置側開口部１５、カメラ側開口部１０、およびデジタルカメラ１の排気口１２を順に経由して流れる構成であったが、ファン１７を逆回転することにより、空気の流れる向きを逆の向きにしてもよい。
【００３９】
また、本実施形態では、ファン１７および吸気口１９が送風装置２内部の左側面側に設けられる構成であったが、これらをローレットビス１４の真下に設けるように構成してもよい。
【００４０】
図４（ａ）は、本発明の第２の実施の形態によるカメラ冷却システムを構成するデジタルカメラ１および送風装置２の内部構造の概略を示す正面図、同図（ｂ）は、送風装置２と係合したデジタルカメラ１の平面図である。なお、同図において図３と同一または相当する部分には同一符号を付してその説明は省略する。
【００４１】
同図（ｂ）に示すようにデジタルカメラ１の上面には穴１２ａが複数設けられており、この穴１２ａが第１の実施形態における上述した排気口１２となる。また、第１の実施形態では、ファン１７および吸気口１９が送風装置２内部の左側面側に設けられる構成であったが、本実施形態では、同図（ａ）に示すように、ローレットビス１４の真下に設けられている。従って、ファン１７からデジタルカメラ１への送風効率は、第１の実施形態より良くなっている。
【００４２】
送風装置２の左側部には前方に突出した突出部２１が柱状に設けられている。送風装置２が、デジタルカメラ１に取り付けられた場合、突出部２１は、同図（ｂ）に示すように、デジタルカメラ１の前面側に位置し、デジタルカメラ１のグリップとなる。
【００４３】
このような本実施形態によるカメラ冷却システムにおいても、第１の実施形態と同様な作用効果が奏される。さらに、本実施形態によるカメラ冷却システムによれば、デジタルカメラ１にグリップがなくても、三脚座７にローレットビス１４が係合してデジタルカメラ１に送風装置２が取り付けられた場合に、送風装置２に備えられた突出部２１がデジタルカメラ１のグリップになるので、送風装置２の利便性が向上する。また、バッテリーを備えない送風装置２は小型なので、近年の小型なデジタルカメラ１に対する送風装置２との外観バランスは、装着状態でも良い。
【００４４】
図５（ａ）は、本発明の第３の実施の形態によるカメラ冷却システムを構成するデジタルカメラ１の平面図、同図（ｂ）は、同図（ａ）に示すデジタルカメラ１の上面壁の側面図である。
【００４５】
デジタルカメラ１の上面壁には、複数の穴から成るスピーカ３１の放音口３０が設けられている。スピーカ３１の取付位置は、複数の穴から成る放音口３０の真下ではなく、放音口３０の真下からずらして設けられている。従って、この放音口３０の一部は、第１、第２の実施形態と同様に、ファン１７が駆動することにより生じた空気の流れを排出する排気口となる。つまり、デジタルカメラ１の排気口が、デジタルカメラ１に内蔵されたスピーカ３１からの音を放音する放音口３０の少なくとも一部によって構成される。
【００４６】
また、スピーカ３１と放音口３０が設けられたデジタルカメラ１の上面壁との間には、メッシュシート３２が介挿されている。メッシュシート３２は、デジタルカメラ１外部から侵入するダストを遮断するフィルタの役割を果たす。
【００４７】
このような本実施形態によるカメラ冷却システムによれば、デジタルカメラ１に内蔵されたスピーカ３１からの音を放音する放音口３０の少なくとも一部がデジタルカメラ１の吸排気口とされ、スピーカ３１の音を放音する放音口３０が吸排気口を兼ねる。このため、吸排気口をデジタルカメラ１の側面に専用に設ける必要がなく、デジタルカメラ１の製作費用が低減される。
【産業上の利用可能性】
【００４８】
上述した各実施形態では、カメラ冷却システムを、デジタルカメラ１に適用した場合について説明したが、銀塩カメラやビデオカメラ等、三脚座を備えたその他の機器に同様に適用することができる。
【符号の説明】
【００４９】
１…デジタルカメラ
２…送風装置
４…ＣＰＵ
５…撮像センサ
６…温度センサ
７…三脚座
１０…カメラ側開口部
１１…キャップ
１２…排気口
１３ａ、１３ｂ…フィルタ
１４…ローレットビス
１５…送風装置側開口部
１６…ゴム部材
１７…ファン
１９…吸気口
２１…突出部
３０…放音口
３１…スピーカ
【図１】
2012198447.tif 000003
【図２】
2012198447.tif 000004
【図３】
2012198447.tif 000005
【図４】
2012198447.tif 000006
【図５】
2012198447.tif 000007